(57)【要約】      （修正有）【課題】ページめくりの際のすべり止めシールを提供する。【解決手段】ウレタン等の無毒性で摩擦係数が高く、粘着性のあるシール材にてページめくりの際の指先貼り付け用すべり止めシール、または指爪の装飾用を兼ねたすべり止めシールを形成し、該すべり止めシールを複数枚づつ剥離紙上に並べ載せ、該剥離紙を栞，ブックマーカーとして使用可能な表紙付き台紙上に挟み止め収容したことを特徴とするすべり止めシールセットにある。台紙は広告面として使用することもある。【選択図】図２
0003156637.tif 000002
【実用新案登録請求の範囲】
【請求項１】
ウレタン等の無毒性で摩擦係数が高く、粘着性のあるシール材にてページめくりの際の指先貼り付け用すべり止めシール、または指爪の装飾用を兼ねたすべり止めシールを形成し、該すべり止めシールを複数枚づつ剥離紙上に並べ載せ、該剥離紙を栞，ブックマーカーとして使用可能な表紙付きの台紙上に挟み止め収容したことを特徴とするすべり止めシールセット。
【請求項２】
台紙は広告面として使用することもある請求項１に記載のすべり止めシールセット。
【考案の詳細な説明】
【技術分野】
【０００１】
この考案は、書籍等のページめくりの際のすべり止めシールセットに関するものである。
【背景技術】
【０００２】
従来例として実公平７−１２０３８号公報がある。該公報は不織布からなる基材の表面にゴム層が塗布形成されると共に、該基材の裏面に粘着層が設けられ、かつ総厚０.３〜１.０ｍｍに設定され、直径が１０〜２０ｍｍの円形である指先滑り止めラベルを記載している。
【先行技術文献】
【特許文献】
【０００３】
【特許文献１】実公平７−１２０３８号公報
【考案の概要】
【考案が解決しようとする課題】
【０００４】
しかしながら、上記の公報は製造工程が複雑なため、量産に適さず高価になるという課題がある。しかもすべり止めのための使用に限られて発展性がないという課題がある。
【課題を解決するための手段】
【０００５】
本考案は、手指に貼っても全く無害であって、しかも摩擦係数が高く、且つ伸縮性と粘着性が備わっている薄いウレタン樹脂等を素材にしてすべり止めシールを形成し、または指爪飾りを兼ねたすべり止めシールを形成して、指腹または指爪に貼るようにして、ページめくりの際のすべり止めのほか、指爪の装飾にも活用することができ、しかもこれらを収容する台紙を栞，ブックマーカーとして使用可能とすることで、製造が容易で且つ広範に活用することができる発展性を持たせて、かかる課題を解決するようにしたのである。
【考案の効果】
【０００６】
本考案は、ウレタン等のシール材にてすべり止めシールを形成するので、製造が著しく容易になるという効果を生ずる。
【０００７】
すべり止めシールに指爪の装飾を兼ねさせたので、ページめくりのほか指爪を装飾することもできるという効果を生ずる。
【０００８】
台紙は表紙を重ね閉じすることで書籍に挟んで栞，ブックマーカーとして使用することができるという発展性のある効果を生ずる。
【０００９】
また広告スペースとしての効果も生ずる。
【図面の簡単な説明】
【００１０】
【図１】本考案の第１実施例で、すべり止めシールと剥離紙および台紙を各別に示す斜視図
【図２】同、（ａ）は剥離紙を台紙上に載せた図、（ｂ）は表紙を被せて折り閉じした図
【図３】すべり止めシールを指腹に貼り付けした状態を示す斜視図
【図４】同、ページめくりの使用状態を示す斜視図
【図５】爪飾り兼用形とした第２実施例を示す説明図
【図６】表紙，台紙に縦横の広告面を設けた第３実施例を示す平面図
【考案を実施するための形態】
【００１１】
本考案は、ページめくりに最適なエンボスと伸びおよび指腹につける粘着性に適した各種の合成樹脂、例えばウレタン樹脂を以って指先の腹部に貼り付ける大きさのすべり止めシールを形成し、または指爪の装飾用を兼ねたすべり止めシールを形成して、剥離紙上に並べ付け、これを表紙付きの台紙上に挟みつけて収容してページめくりの際のすべり止めシールセットとするのである。台紙は表紙を閉じることで栞，ブックマーカーとして使用可能であり、さらに広告面として使用することもある。
【実施例１】
【００１２】
図１乃至図４は第１実施例であって、摩擦付加用のエンボスがあって、伸縮性と粘着性に優れた薄いウレタン樹脂等のシートを細断して指貼り用のすべり止めシール１を形成する。
【００１３】
該すべり止めシール１は剥離紙２上に５枚程度を１セットとして剥離可能に横並べ載着し、これを図２に示すように表紙３付きの台紙４上に挟み載せ収容する。４ａ，４ｂは挟み止め爪である。次いで表紙３を被せ、差し込み５ａ，５ａを切れ込み５ｂ，５ｂに差し込んで固定して、１セットとするのである。なお、台紙４は表紙を折り閉じして半分の形にすることで、栞，ブックマーカー６としても使用可能にする。
【００１４】
すべり止めシール１を使用するときは、表紙３を展開して剥離紙２よりシール１を１枚剥がし取って例えば図３乃至図４に示すように右手人差し指７の第１関節先の指腹７ａに貼り付けるのである。書籍等のページめくりの際にこの指腹のすべり止めシール１をページに当ててめくることで摩擦によって１頁づつがスムースにめくられることとなる。ページめくりを一層確実にするためにすべり止めシール１を複数の指腹に貼り付けることもある。使用後は剥離紙２に再貼付して次の使用に備えさせることができる。
【００１５】
図４はすべり止めシール１を収容した台紙４を表紙３の閉じにより半分の形にして書籍，ノート９などのページ間に挟んで栞，ブックマーカー６として使用している例を示している。
【実施例２】
【００１６】
図５はすべり止めシール１のエンボス面１ａに爪飾り１ｂを印刷等して付加して爪飾り兼用形のすべり止めシール１ｃとした例を示している。これを指爪８に貼り付けて指爪８を美装することができるようにしたのである。
ページめくりをする時は指爪装飾用のすべり止めシール１ｃを指爪８から剥がし取って矢印にて示すように指腹７ａに貼りかえるのである。とっさの使用に便利に使えることとなる。
【実施例３】
【００１７】
図６は表紙３，台紙４の空白面を利用して広告面１０として使用した例を示している。
【産業上の利用可能性】
【００１８】
本考案は、書籍等のページめくりのすべり止めとして、また指爪の飾りとして使用可能とするシールを栞，ブックマーカーとして使用可能な表紙付き台紙上に収容したので、多くの用途において利用されるものである。
【符号の説明】
【００１９】
１はすべり止めシール
１ａはエンボス面
１ｂは爪飾り
１ｃは指爪の装飾用を兼ねたすべり止めシール
２は剥離紙
３は表紙
４は台紙
４ａ，４ｂ挟み止め爪
５ａ，５ａは差し込み
５ｂ，５ｂは切れ込み
６は栞，ブックマーカー
７は指
７ａは指腹
８は指爪
９は書籍，ノート
１０は広告面
【図１】
0003156637.tif 000003
【図２】
0003156637.tif 000004
【図３】
0003156637.tif 000005
【図４】
0003156637.tif 000006
【図５】
0003156637.tif 000007
【図６】
0003156637.tif 000008
【手続補正書】
【提出日】平成21年10月28日(2009.10.28)
【手続補正１】
【補正対象書類名】実用新案登録請求の範囲
【補正対象項目名】全文
【補正方法】変更
【補正の内容】
【実用新案登録請求の範囲】
【請求項１】
無毒性で摩擦係数が高く、粘着性のあるシール材にてページめくりの際の指先貼り付け用すべり止めシール、または指爪の装飾用を兼ねたすべり止めシールを形成し、該すべり止めシールを複数枚づつ剥離紙上に並べ載せ、該剥離紙を栞，ブックマーカーとして使用可能な表紙付きの台紙上に挟み止め収容したことを特徴とするすべり止めシールセット。
【請求項２】
台紙は広告面として使用することもある請求項１に記載のすべり止めシールセット。